【事件の表示】
　特許第６４５４４４０号発明「ドキュメント作成支援システム」の特許異議申立事件について、次のとおり決定する。
【結　論】
　特許第６４５４４４０号の請求項に係る特許を維持する。
【理　由】
第１．手続の経緯
　特許第６４５４４４０号の請求項１〜９に係る特許についての出願は、平成３０年７月２３日に特許出願され、平成３０年１２月２１日にその特許権の設定登録がされ、その後、その特許に対し、特許異議申立人寺尾康典により特許異議の申立てがされたものである。
第２．本件発明
　特許第６４５４４４０号の請求項１〜９の特許に係る発明は、それぞれ、その特許請求の範囲の請求項１〜９に記載された事項により特定される、次のとおりのものである。
「【請求項１】
  １又は複数の要素からなるパーツを記憶するパーツ記憶手段と、
  ドキュメントごとに、前記パーツの配列順序又は階層関係を規定したマップ情報を記憶するマップ情報記憶手段と、
  前記パーツ記憶手段のパーツ及び前記マップ情報記憶手段のマップ情報に基づいて、前記パーツを構造化した構造化データを生成する構造化データ生成手段と、
  前記パーツのレイアウトを規定したレイアウトテンプレートを記憶するテンプレート記憶手段と、
  前記構造化データ生成手段で生成した構造化データ及び前記テンプレート記憶手段のレイアウトテンプレートに基づいて前記ドキュメントを生成するドキュメント生成手段と、
  アクセス制御情報を記憶するアクセス制御情報記憶手段と、
  前記アクセス制御情報記憶手段のアクセス制御情報に基づいて、複数の前記ドキュメントで共用される前記パーツ又は前記要素に対するアクセスを制御するアクセス制御手段とを備え、
  前記アクセス制御手段は、複数の前記ドキュメントで前記パーツが共用される場合、当該複数のドキュメントのすべてに対して出力、更新又は作成を含むアクセスの許可が設定されることを条件に、当該パーツに対する当該アクセスを許可することを特徴とするドキュメント作成支援システム。
【請求項２】
  請求項１において、
  前記アクセス制御情報は、前記パーツごとに出力、更新又は作成の可否に関するアクセス設定を含み、
  前記アクセス制御手段は、前記アクセス制御情報記憶手段のアクセス制御情報に基づいて、前記パーツごとに、当該パーツの出力、更新又は作成の可否を制御することを特徴とするドキュメント作成支援システム。
【請求項３】
  請求項１及び２のいずれか１項において、
  前記アクセス制御情報は、前記要素ごとに出力、更新又は作成の可否に関するアクセス設定を含み、
  前記アクセス制御手段は、前記アクセス制御情報記憶手段のアクセス制御情報に基づいて、前記要素ごとに、当該要素又はこれを利用するパーツの出力、更新又は作成の可否を制御することを特徴とするドキュメント作成支援システム。
【請求項４】
  請求項３において、
  前記パーツは、用語からなる前記要素を含み、
  前記アクセス制御情報は、前記用語ごとに出力、更新又は作成の可否に関するアクセス設定を含み、
  前記アクセス制御手段は、前記アクセス制御情報記憶手段のアクセス制御情報に基づいて、前記用語ごとに、当該用語又はこれを利用するパーツの出力、更新又は作成の可否を制御することを特徴とするドキュメント作成支援システム。
【請求項５】
  請求項１乃至４のいずれか１項において、
  前記パーツには、当該パーツの属性に関する属性情報が対応づけられ、
  前記アクセス制御情報は、前記属性ごとに出力、更新又は作成の可否に関するアクセス設定を含み、
  前記アクセス制御手段は、前記アクセス制御情報記憶手段のアクセス制御情報に基づいて、前記属性ごとに、当該属性を有するパーツの出力、更新又は作成の可否を制御することを特徴とするドキュメント作成支援システム。
【請求項６】
  請求項１乃至５のいずれか１項において、
  前記アクセス制御情報は、前記ドキュメントごとに出力、更新又は作成の可否に関するアクセス設定を含み、
  前記アクセス制御手段は、前記アクセス制御情報記憶手段のアクセス制御情報に基づいて、前記ドキュメントごとに、当該ドキュメントで利用されるパーツの出力、更新又は作成の可否を制御することを特徴とするドキュメント作成支援システム。
【請求項７】
  請求項１乃至６のいずれか１項において、
  前記ドキュメントには、当該ドキュメントのカテゴリに関するカテゴリ情報が対応づけられ、
  前記アクセス制御情報は、前記カテゴリごとに出力、更新又は作成の可否に関するアクセス設定を含み、
  前記アクセス制御手段は、前記アクセス制御情報記憶手段のアクセス制御情報に基づいて、前記カテゴリごとに、当該カテゴリに属するドキュメントで利用されるパーツの出力、更新又は作成の可否を制御することを特徴とするドキュメント作成支援システム。
【請求項８】
  請求項１乃至７のいずれか１項において、
  前記ドキュメントには、当該ドキュメントを利用する企業に関する企業情報が対応づけられ、
  前記アクセス制御情報は、前記企業ごとに出力、更新又は作成の可否に関するアクセス設定を含み、
  前記アクセス制御手段は、前記アクセス制御情報記憶手段のアクセス制御情報に基づいて、前記企業ごとに、当該企業に属するドキュメントで利用されるパーツの出力、更新又は作成の可否を制御することを特徴とするドキュメント作成支援システム。
【請求項９】
  請求項１乃至８のいずれか１項において、
  前記アクセス制御情報は、ユーザ又は前記ユーザが属するグループごとに出力、更新又は作成の可否に関するアクセス権限を含み、
  前記アクセス制御手段は、前記アクセス制御情報記憶手段のアクセス制御情報に基づいて、前記ユーザ又は前記グループごとに、前記パーツ又は前記要素の出力、更新又は作成の可否を制御することを特徴とするドキュメント作成支援システム。」　
第３．申立理由の概要
　特許異議申立人寺尾康典は、甲第１号証として、特開２００１−３３１４８１号公報を、甲第２号証として、「業務システムのためのユーザーマニュアル作成ガイド」（黒田聡、他著、株式会社翔泳社発行、２００９年１月２８日）を、甲第３号証として、特開平１１−２５０７６号公報を、甲第４号証として、特表２０１１−５２６０３２号公報を、甲第５号証として、「ＪＩＳ　システム及びソフトウエア技術−製品ライフサイクル，利用者及びサービスマネージメントの文書化のためのコンテンツ管理」（日本規格協会発行、平成３０年３月２０日官報公示）を、甲第６号証として、特開２００５−１０９８８号公報を提出し、請求項１〜９に係る特許は特許法第２９条第２項の規定に違反してされたものであるから、請求項１〜９に係る特許を取り消すべきものである旨（以下、「理由１」という。）、及び「前記アクセス制御手段は、複数の前記ドキュメントで前記パーツが共用される場合、当該複数のドキュメントのすべてに対して出力、更新又は作成を含むアクセスの許可が設定されることを条件に、当該パーツに対する当該アクセスを許可する」という記載について，明細書では発明を実施できる程度に記載されていないし、サポートされていないとして、特許法第３６条第４項第１号及び特許法第３６条第６項第１号の要件を満たしていない旨（以下、「理由２」という。）主張している。
第４．刊行物の記載
１　甲第１号証
（１）甲第１号証には、以下の事項が記載されている（下線は当審が付与した。以下同様）。
「【請求項１】文書作成の要求仕様を入力する入力機能部と、該要求仕様に合った文書を作成して所定の形態に纏めるまでの処理を行う文書作成機能部と、作成された文書を出力するための出力機能部から構成された文書作成装置において、
文書の全体構造を表現する文書骨組み構造体のデータを作成して保管し、あるいはまた既に作成済みの文書データを保管管理するための文書構造体データ管理機能部と、前記文書骨組み構造体に埋め込んで、文書に仕上げるための文書断片に相当する文章要素片データを作成して保管し、または作成済みの前記文章要素片を修正、訂正、あるいは置換し、あるいは削除するなどの処理を行う文章要素片データ管理機能部を設け、これら二つのデータ管理機能部のデータを使って文書を作成することを特徴とする文書作成装置。
（２）上記（１）からみて、甲第１号証には，次のとおりの発明（以下、「甲１発明」という。）が記載されている。
「文書の全体構造を表現する文書骨組み構造体のデータを作成して保管する文書構造体データ管理機能部と、前記文書骨組み構造体に埋め込んで、文書に仕上げるための文書断片に相当する文章要素片データを作成して保管する文章要素片データ管理機能部を設け、これら二つのデータ管理機能部のデータを使って文書を作成することを特徴とする文書作成装置」
２　甲第２号証
（１）甲第２号証には、以下の事項が記載されている。
ア　「修正を繰り返す作業を省く（構造化＋部品化）
　同じ文章が複数の場所で使われている場合に修正を繰り返す作業を省くこと。そして、
過去の文章を再利用することによって新たに作り直す作業を省くこと。このためには構造化に加えて、文章を部品化する必要があります。
イ　「データの仕組みを構造化する
　
文章のデータには、論理的に次の２つが含まれています。
・コンテンツそのものである「内容情報」
・レイアウトなどの体裁である「書式情報」
（２）上記（１）からみて、甲第２号証には次の事項が記載されている。
「文書を構造化し、部品化することで文書管理の効率化を図ること。」及び
「構造化文書が論理的にコンテンツそのものである「内容情報」とレイアウトなどの体裁である「書式情報」を含むこと」
３　甲第３号証
（１）甲第３号証には、以下の事項が記載されている。
ア　「【請求項１】  構造化された文書を格納する記憶部と、
前記文書をアクセスする権利を取得するためのアクセス者ＩＤが入力され、該文書を表示するとともに該文書の編集操作が行われる表示編集部と、
前記表示編集部が
前記文書をアクセスする権利を、該文書の各構造化部分毎に、かつ、アクセス者ＩＤ毎に設定する
前記文書の、前記表示編集部から入力されたアクセス者ＩＤに応じた、アクセスを許容する旨設定された構造化部分のみ、該表示編集部からのアクセスを許可するアクセス許可手段とを備えたことを特徴とする文書管理装置。」
イ　「【０００９】ここで、本発明は、「構造化された文書」、例えば、章や節や段落等に分けられる文書を取り扱うものであり、上記の「文書の構造化部分」とは、その文書を、章や節や段落等に分けたときの各部分をいい、その文書部分の文章の長さや内容に増減があっても同じ構造化部分として扱われる単位をいう。本発明の文書管理装置は、
構造化された文書を取り扱い、その文書の各構造化部分毎にアクセス権を設定する
（２）上記（１）からみて、甲第３号証には次の事項が記載されている。
「構造化された文書の各構造化部分毎にアクセス権を設定すること」
４　甲第４号証
（１）甲第４号証には、以下の事項が記載されている。
ア　「【０００２】
  ドキュメントのマルチユーザー編集作業を支援するシステムにおいてさえ、ユーザーは通常、ユーザーの編集がそのドキュメントを編集している他の人にいつ示されるのか制御できない。さらに、どのユーザーがそのドキュメントの特別な箇所を作業しているのか明確にすることが困難になり、それによって、
ドキュメントに加えられた変更に食い違いが生じかねない。
イ　「【００２１】
例示のドキュメント２００の各セクションと、そのセクションを現在共同オーサリングしているユーザー名を表示する例示のユーザー制御２２２〜２３２が並んでいる。例示の
ドキュメント２００は、ドキュメントセクションに対して各ユーザーのアクセス許可を表示する例示のアクセス制御２４２〜２５２と、ユーザーがそのドキュメントセクションに対し１つ以上の特定動作をとれるようにする例示の動作制御２８２〜２９２とを含む。
（２）上記（１）からみて、甲第４号証には次の事項が記載されている。
　「ドキュメントに加えられた変更に食い違いが生じることを抑制するために、各ユーザーのアクセスの許可を表示し、ユーザーがドキュメントセクションに対し１つ以上の特定動作をとれるようにすること」
５　甲第５号証
（１）甲第５号証には、以下の事項が記載されている。
　「１２．６．１　
構成要素コンテンツ管理システムの利用者運用管理
　ＣＣＭＳは、利用者及び利用者に関連する特性の生成、変更、及び削除を考慮しておかなければならない。ＣＣＭＳの利用者は、コンテンツの生成、編集、及び配布に参加する個人である。
　ＣＣＭＳは、次を行うことが望ましい。
−　利用者のアクセス水準に適応した使用体験を提供するために、機能をオン及びオフ（又は表示及び非表示）できる十分に柔軟なプログラミングモデル及びインタフェースをもつ。
−　
構成要素への個別又は型によるアクセスを許可又は拒否するのに十分柔軟なＣＣＭＳ構造をもつ。
−　ＣＣＭＳの機能及び構成要素へのアクセスが、それぞれのアクセス水準に対して保証又は拒否できるようなアクセス水準の定義を考慮する。
−　利用者へのアクセス水準の割り当て又は削除を許す。」（第３９頁２２〜３１行目）
（２）上記（１）からみて、甲第５号証には次の事項が記載されている。
「構成要素コンテンツ管理システムの利用者運用管理として、構成要素への個別又は型によるアクセスを許可又は拒否する十分柔軟なＣＣＭＳ構造をもつこと」
６　甲第６号証
（１）甲第６号証には、以下の事項が記載されている。
「【０００３】
こうしたドキュメント管理システムは、その内部に大量のドキュメントを保持することとなることが想定され、また、多数のユーザが利用することとなることも想定される。そこで従来から、
各ドキュメントをユーザからの指定により複数のカテゴリにグループ分けすることが行われている。
【０００４】
また、このカテゴリを単に、ドキュメントをユーザが見つけやすくするためだけでなく、
カテゴリごとにアクセス権（参照権、削除権等）を設定すること
（２）上記（１）からみて、甲第６号証には次の事項が記載されている。
　「ドキュメントのカテゴリごとにアクセス権を設定すること」
　
第５．判断
１　理由１（特許法２９条第２項）について
（１）請求項１に係る発明について
ア　請求項１に係る発明と甲１発明との対比
　甲１発明の「文書の全体構造を表現する文書骨組み構造体のデータ」、「文書要素片データ」、「文書」は、それぞれの機能からみて、請求項１に係る発明の「マップ情報」、「パーツ情報」、「構造化データ」に相当する。
甲１発明の「文書構造体データ管理機能部」及び「文章要素片データ管理機能部」は、「文書の全体構造を表現する文書骨組み構造体のデータ」又は「文書要素片データ」を保管するものであって、文章構造体は、「ドキュメントごとに、前記パーツの配列順序又は階層関係を規定した」ものであるといえるから、請求項１に係る発明の「マップ記憶手段」及び「パーツ記憶手段」に相当する。
さらに、甲１発明の「文書構造体データ管理機能部」及び「文章要素片データ管理機能部」は、「文書の全体構造を表現する文書骨組み構造体のデータ」又は「文書要素片データ」を作成するから、請求項１に係る発明の「前記パーツ記憶手段のパーツ及び前記マップ情報記憶手段のマップ情報に基づいて、前記パーツを構造化した構造化データを生成する構造化データ生成手段」に相当する。
　甲１発明の「文書作成装置」は、パーツを使用して文書作成を利便化するためのものであるから、請求項１に係る発明の「ドキュメント作成支援システム」と共通する。
　そうすると、甲第１号証と請求項１に係る発明との一致点と相違点は以下のとおりである。
（一致点）
「１又は複数の要素からなるパーツを記憶するパーツ記憶手段と、
  ドキュメントごとに、前記パーツの配列順序又は階層関係を規定したマップ情報を記憶するマップ情報記憶手段と、
  前記パーツ記憶手段のパーツ及び前記マップ情報記憶手段のマップ情報に基づいて、前記パーツを構造化した構造化データを生成する構造化データ生成手段と、
を備えたドキュメント作成支援システム」
（相違点１）
請求項１に係る発明では、「前記パーツのレイアウトを規定したレイアウトテンプレートを記憶するテンプレート記憶手段」と「 前記構造化データ生成手段で生成した構造化データ及び前記テンプレート記憶手段のレイアウトテンプレートに基づいて前記ドキュメントを生成するドキュメント生成手段」を有しているのに対して、甲１発明はこのような構成を有していない点。
（相違点２）
　請求項１に係る発明では、「アクセス制御情報を記憶するアクセス制御情報記憶手段」と「 前記アクセス制御情報記憶手段のアクセス制御情報に基づいて、複数の前記ドキュメントで共用される前記パーツ又は前記要素に対するアクセスを制御するアクセス制御手段」とを備えていて、「前記アクセス制御手段は、複数の前記ドキュメントで前記パーツが共用される場合、当該複数のドキュメントのすべてに対して出力、更新又は作成を含むアクセスの許可が設定されることを条件に、当該パーツに対する当該アクセスを許可」するのに対して、甲１発明はこのような構成を有していない点。
イ　相違点の検討
（ア）相違点１について
甲第２号証に記載された「レイアウト」は文章全体のレイアウトであって、雛形を表すテンプレートではないことから、甲第２号証の記載を適用しても相違点１に関する請求項１に係る発明の構成には至らない。
また、甲第３〜６号証のいずれにもテンプレートについては記載されていない。
仮に、テンプレート自体が周知事項であったとしても、甲１発明にこの周知事項を適用するといった技術的課題がないことから、当業者にとって容易になし得るともいえない。
さらに、甲第２又は３号証に記載された事項に甲１発明又は甲４〜６号証を適用したとしても、相違点１に係るテンプレートの構成を導くことができない。
（イ）相違点２について
甲第３号証に記載されたアクセス制限は、文書の章、節、段落に対して付与するアクセス制限であり、文書のパーツや要素に対して付与するものではない。
そうすると、甲１発明に対して、甲第３号証を適用したところで、相違点２に関する請求項１に係る発明の構成には至らない。
また、甲第２、４〜６号証のいずれにもパーツや要素に対してアクセス権を付与することは記載されていないし、周知事項であるともいえないとともに、仮に周知事項であったとしても、甲１発明にこの周知事項を適用するといった技術的課題がないことから、当業者にとって容易になし得るともいえない。
さらに、甲第２又は３号証に記載された事項に甲１発明又は甲４〜６号証を適用したとしても、相違点２に係る「複数の前記ドキュメントで共用される前記パーツ又は前記要素に対するアクセスを制御する構成を導くことができない。
（ウ）まとめ
　以上ア及びイのとおり、相違点１及び２のいずれの点においても、請求項１に係る発明は、上記甲１発明、第２又は３号証に記載された発明、及び第１〜６号証に記載された技術的事項から当業者が容易になし得るものではない。
（２）請求項２〜９に係る発明について
　請求項２〜９に係る発明は、上記請求項１に係る発明を更に限定したものであるから、請求項１についての判断と同様の理由により、上記甲１発明、第２又は３号証に記載された発明、及び第１〜６号証に記載された技術的事項から当業者が容易になし得るものではない。
　以上のとおり、請求項１〜９に係る発明は、甲第１〜６号証に記載された発明及び技術的事項からから当業者が容易に発明をすることができたものではない。
２　理由２（特許法第３６条第４項第１号及び同法第３６条第６項第１号）について
　「前記アクセス制御手段は、複数の前記ドキュメントで前記パーツが共用される場合、当該複数のドキュメントのすべてに対して出力、更新又は作成を含むアクセスの許可が設定されることを条件に、当該パーツに対する当該アクセスを許可する」という記載は、請求項６の従属項であるが、請求項１のアクセス手段の限定的減縮であると解され、明細書【０１２６】〜【０１３９】に説明された事項であることから、実施可能要件を満たすものであるし、明細書にもサポートされたものである。
　したがって、特許法第３６条第４項第１号及び同法第３６条第６項第１号の要件を満たしている。
第６．むすび
　特許異議の申立ての理由及び証拠によっては、請求項１〜９に係る特許を取り消すことはできない。　
　また、他に請求項１〜９に係る特許を取り消すべき理由を発見しない。
　よって、結論のとおり決定する。
【異議決定日】
令和１年１０月３日（２０１９．１０．３）